(57)【要約】  【課題】特に半身浴中の肩等の冷えを有効に防止できる浴槽の提供を目的とする。  【解決手段】全身浴中または半身浴中の入浴者３の肩に向けて赤外線等などを照射する照射装置１を浴室内に配設する。この照射装置１が赤外線等を照射するので、入浴者３が肩をぬらすことなく肩を暖めることができる。そうして長い時間半身浴や全身浴を行うこともでき心身ともに快適性やリラクゼーション効果を向上することができる。  【選択図】  図１
2006174937.tif 000002
【特許請求の範囲】
【請求項１】
全身浴中または半身浴中の入浴者の肩等に向けて赤外線等を照射可能となるように照射装置を浴室に配設したことを特徴とする浴室装置。
【請求項２】
照射装置は光源ランプを含んでいることを特徴とする請求項１記載の浴室装置。
【発明の詳細な説明】
【技術分野】
【０００１】
本発明は浴室装置に関する。
【背景技術】
【０００２】
近年、浴槽内で上半身を露出して入浴する半身浴が流行しているが、冬場等では、この半身浴を行う際には露出した肩等の上半身が冷えてしまい、快適な半身浴を行うことができないという問題点があり、浴室内をエアコン装置等により保温して冬場等の半身浴を可能に設計することもできるが、そのようなエアコン装置等を用いる場合にはコストが高くなってしまうという問題点があった。
【０００３】
そこで、特許文献１などのように、全身浴中または半身浴中の入浴者の肩等に向けて吐出可能に吐出口を上下動可能に配設し、該吐出口にはポンプを介し浴槽内の湯を供給可能に配管接続した浴槽が開示されている。そうして、入浴者の肩にお湯をかけて上半身を保温させるとともにマッサージ効果を得ることも期待できるというものである。
【特許文献１】実開平７−２０９６８号公報
【発明の開示】
【発明が解決しようとする課題】
【０００４】
しかしながら、特許文献１などに開示されているように、半身浴中に肩にお湯をかけることで肩を保温しようとしても、お湯をかけることを中断した場合、かかったお湯が皮膚の温度を奪って逆に肩を冷やす虞がある。これを避けるために入浴している間常時肩にお湯をかけようとポンプを動作させておかなくてはならず省エネの観点から好ましくない。さらにお湯を循環させることで浴槽の湯が冷めやすくなるおそれがあり、さらにエネルギーを消費してしまう。
【０００５】
本発明は、上記問題点を顧みてなされたものであり、肩にお湯をかけることなく肩を保温できる浴室装置を提供することを目的とする。
【課題を解決するための手段】
【０００６】
請求項１の発明の浴室装置は、全身浴中または半身浴中の入浴者の肩等に向けて赤外線等を照射可能となるように照射装置を浴室に配設している。
【０００７】
請求項２の発明は、請求項１記載の浴室装置であって照射装置は光源ランプを含んでいる。
【０００８】
各発明において、特に指定しない限り用語の定義および技術的意味は次による。
【０００９】
入浴者の肩等とは、入浴者が浴槽に入浴している状態で水面上に露出する部分の方を含めた部分を許容する。好ましくは、入浴者の好みや状態に適応して保温する部位を照射することが好ましい。
【００１０】
照射装置は、赤外線等を入浴者の肩などに向けて照射させることができればよく、浴室の壁面、天井に配設してもよい。また、赤外線等の照射の方向を変えられるように、可動式アームなどに取付けられることも許容できる。また、赤外線等とは赤外線や遠赤外線を含んだ電磁波であり赤外線や遠赤外線ばかりでなく、赤外線等と同時に可視光や紫外線なども照射しても構わない。さらには、この光源を浴室の照明としても利用することを許容する。
【００１１】
照射装置は、内部に赤外線等を照射する光源を収納することができる。光源は例えば、赤外線ランプ、ハロゲンランプ、白熱電球のほか、赤外線または遠赤外線を照射できるＬＥＤなどの光源も許容する。また、効率よく赤外線等を照射させるために、照射装置に光源を覆う反射鏡や、照射窓にフィルタ、プリズムやレンズなどを配置させることもできる。さらには、レフランプなど、反射鏡内蔵や一体としたランプなども許容する。
【発明の効果】
【００１２】
請求項１または２の発明によれば、半身浴を行う際には露出した肩等の上半身を照射装置によって赤外線等にて保温することができるので、従来技術のように肩にお湯をかけることによって体温が奪われてしまうなどの入浴者の体への負担を軽減することができ、また浴槽の湯を冷やしてしまうことがないので省エネに貢献できる。そうして、肩など冷やすことなく、半身浴などの入浴を行うことができる浴室装置を提供することができる。
【発明を実施するための最良の形態】
【００１３】
本発明の照明装置を図を参照して説明する。なお、これらの図中、同一または相当部分には同一符号を付して、重複した説明の記載は省略または簡略化している。
【００１４】
図１は本発明の第一の実施形態である浴室装置の要部斜視図である。浴槽２を備えている浴室の壁面２ａに照射装置１が取り付けられている。このとき入浴者３の背中側の壁面２ａに照射装置１を取付けることが好ましい。照射装置１は装置本体１ａの開口側に透光性カバー１ｂが水密に取付けられ、本体１ａ内部には光源として赤外線発光ダイオード（図示しない）が複数個配列されている。本体１ａの背面側にはアーム１ｃが取付けられアーム１ｃの他端側のフランジ（図示しない）によって照射装置１は浴室の壁面２ａに取り付けられる。
【００１５】
本実施形態によれば、入浴者３の肩に向けて照射装置１が赤外線等を照射するので、入浴者３が肩をぬらすことなく肩を暖めることができる。そうして長い時間半身浴や全身浴を行うこともでき心身ともに快適性やリラクゼーション効果を向上することができる。また、照射装置１がアーム１ｃを介して取り付けられることによってアーム１ｃを曲げたり回転させたりすることも可能であり、入浴者３の体形や好みに合わせて最適な場所に赤外線等を照射することができる。
【００１６】
図２は本発明の第二の実施形態である浴室装置の要部正面図である。浴槽２を備えている浴室の天井面２ｂに照射装置４が埋め込まれている。この照射装置４は本体４ａの内部に反射鏡４ｂおよび反射鏡４ｂに収納されている赤外線ランプ４ｃが取付けられている。このとき入浴者３と照射装置４の距離は半身浴をしている状態で６０ｃｍ以下の距離であることが好ましい。これは、平均的な日本人の肩幅よりも１０ｃｍ程度長い距離であり、この程度の距離から赤外線等を照射することによって赤外線等が効率よく入浴者の肩に照射できる。また、照射装置４の反射鏡４ｂは可動式になっており、入浴者３の体形や好みによって照射方向を変更することができる。
【００１７】
本実施形態によれば、入浴者３の肩に向けて照射装置４が赤外線等を照射するので、入浴者３が肩をぬらすことなく肩を暖めることができる。そうして長い時間半身浴や全身浴を行うこともでき心身ともに快適性やリラクゼーション効果を向上することができる。さらに、照射装置４が天井面２ｂに埋め込まれているので天井面２ｂからの突出が少なく、浴室の見栄えがよくなる。
【００１８】
図３は本発明の第三の実施形態である浴室装置の要部正面図である。浴槽２を備えている浴室の壁面２ａに照射装置５が取り付けられる。この照射装置５は板状の本体５ａの上部に白熱電球５ｂを２灯、本体の下部に赤外線ランプ５ｃを２灯取付けている。赤外線ランプ５ｃは入浴者３の肩に赤外線等を照射し、上部の白熱電球５ｂは、浴室の天井面２ｂを照らすことによって、間接照明器具として使用できる。この照射装置５の赤外線ランプ５ｃおよび白熱電球５ｂを調光する機能を備えている。調光機能は、照射装置５に設置される調光装置のつまみ（図示しない）やリモコン装置（図示しない）を用いた遠隔操作にて行うことができる。また、間接照明に使用する白熱電球５ｂに換えて、数色の発光色をもつ発光ダイオードや蛍光灯、カラーランプなどを使用して、それぞれの光源の出力を変化させるようにして、様様な光色にて発光させることも許容する。これらの光源の光が間接照明によって、浴室全体の天井面２ｂを発光色に染め、浴室の雰囲気を変化させることも可能である。
【００１９】
本実施形態によれば、入浴者３の肩に向けて照射装置５が赤外線等を照射するので、入浴者３が肩をぬらすことなく肩を暖めることができる。そうして長い時間半身浴や全身浴を行うこともでき心身ともに快適性やリラクゼーション効果を向上することができる。さらに、照射装置５が入浴者３の肩を保温する赤外線等照射と間接照明とを兼用して使用しているので快適な浴室空間を提供することができる。
【００２０】
図４は本発明の第四の実施形態である浴室装置の要部斜視図である。浴槽２の入浴者３の背側のフランジ２ｂ状に枕部２ｃが設けられている。この枕部２ｃの斜面に形成された面２ｄには２個の照射装置６が入浴者３の肩幅間隔で設けられている。照射装置６は内部に赤外線等照射光源として赤外線発光ダイオード（図示しない）が複数個配列されている。赤外線発光ダイオードを点灯させることによって入浴者３の肩を赤外線等にて照射することができる。
【００２１】
本実施形態によれば、入浴者３の肩に向けて照射装置６が赤外線等を照射するので、入浴者３が肩をぬらすことなく肩を暖めることができる。そうして長い時間半身浴や全身浴を行うこともでき心身ともに快適性やリラクゼーション効果を向上することができる。また、照射装置６が浴槽と一体的に取り付けられているので浴室がすっきりとして見え、また、照射装置６のメンテナンスも容易に行うことができる。さらには、入浴者３の肩と照射装置６の距離を近づけることができることから、赤外線等照射のエネルギーも最小限にすることができ、省エネにも貢献できる。
【図面の簡単な説明】
【００２２】
【図１】本発明の第１の実施形態の浴室装置の斜視図。
【図２】本発明の第２の実施形態の浴室装置の正面図。
【図３】本発明の第３の実施形態の浴室装置の正面図。
【図４】本発明の第４の実施形態の浴室装置の斜視図。
【符号の説明】
【００２３】
１…照射装置、  ２…浴槽  ３…入浴者
【図１】
2006174937.tif 000003
【図２】
2006174937.tif 000004
【図３】
2006174937.tif 000005
【図４】
2006174937.tif 000006